(57)【要約】【課題】媒体をトレイの抜き差し側へ供給する際に供給エラーが生じてもトレイを容易に抜き出すことができる媒体供給装置及び記録装置を提供すること。【解決手段】トレイ１２０に収納された媒体における供給方向側の端部を昇降させる昇降手段１９０と、昇降手段により上昇させた媒体を供給する供給手段１４６と、上昇させた昇降手段を強制的に降下させることが可能な上昇解除手段２００とを備える。媒体の供給エラーが発生したとき、上昇解除手段により昇降手段を降下させて、トレイを抜き出す。これにより、上昇している昇降手段を強制的に降下させて昇降手段と供給手段との干渉を防止することができるので、媒体をトレイの抜き差し側へ供給する際に供給エラーが生じても、トレイを抜き出して供給エラーを速やかに解除することができる。【選択図】      図８
2004217350.tif 000002
【特許請求の範囲】
【請求項１】
抜き差し可能なトレイに収納された媒体を前記トレイの抜き差し側へ供給する媒体供給装置であって、
前記トレイに収納された前記媒体における供給方向側の端部を昇降させる昇降手段と、
前記昇降手段により上昇させた前記媒体を供給する供給手段と、
上昇させた前記昇降手段を強制的に降下させることが可能な上昇解除手段とを備え、
前記媒体の供給エラーが発生したとき、前記上昇解除手段により前記昇降手段を降下させて、前記トレイを抜き出すことを特徴とする媒体供給装置。
【請求項２】
前記昇降手段は、上下方向に旋回自在に配設され、前記媒体の端部を載置するホッパと、上昇方向に付勢され、前記ホッパを上昇させるリフタと、回転可能に軸支され、前記媒体の非供給中に前記リフタに当接して当該リフタを下降させるリフタ駆動カムとを備えたことを特徴とする請求項１に記載の媒体供給装置。
【請求項３】
前記上昇解除手段は、手動回転可能に軸支され、前記媒体の供給エラーが発生したとき、前記リフタに当接して当該リフタを下降させるリフタレリースカムを備えたことを特徴とする請求項２に記載の媒体供給装置。
【請求項４】
前記リフタレリースカムは、前記リフタに当接して当該リフタを下降させた後、前記リフタ駆動カムの回転により押し回されて相互に干渉しない待機位置へ戻されることを特徴とする請求項３に記載の媒体供給装置。
【請求項５】
抜き差し可能なトレイに収納された媒体を前記トレイの抜き差し側へ供給して記録する記録装置であって、
請求項１〜４の何れか一項に記載の媒体供給装置を備えたことを特徴とする記録装置。
【請求項６】
少なくとも前記トレイの抜き差しが同一の装置側面側にて実行可能なことを特徴とする請求項５に記載の記録装置。
【発明の詳細な説明】
【０００１】
【発明の属する技術分野】
本発明は、抜き差し可能なトレイに収納された媒体をトレイの抜き差し側へ供給する媒体供給装置及びこの媒体供給装置を備えた記録装置に関する。
【０００２】
【従来の技術】
例えば従来の複写機、ＦＡＸ、プリンタ等の記録装置に使用され、給紙方向と直角方向に引き出し可能なトレイを有する給紙装置が開示されている。この給紙装置は、トレイ内に積層された記録用紙の上方に配設された給紙コロが、受板により一端が持ち上げられた記録用紙を送り出して上下のガイド板の間を通し、上下一対の搬送ローラが、その記録用紙を挟持して外部へ排紙するようになっている。
【０００３】
このような構成において、記録中に記録用紙が給紙装置から飛び出して搬送ローラのニップ部に入り込む前に停止してしまった場合は、給紙装置自体を記録装置本体から引き出す必要がある。ところが、そのときに記録用紙が給紙装置の引き出す動きに対し給紙方向側に動かずに引き出し方向側にのみ動けば問題無いが、記録用紙がガイド板等に接触して回転力が加わり、搬送ローラのニップ部へ入り込んでしまうと、用紙破れや給紙装置奥側への用紙落下が発生することがある。
【０００４】
そこで、この給紙装置は、給紙装置自体を記録装置本体から引き出す際、下側の搬送ローラが下側のガイド板より下方に移動して上下の搬送ローラの加圧を解除させるようになっている。これにより、記録用紙はガイド板等に接触することはなく、搬送ローラのニップ部への入り込みを防止することができるので、用紙破れや給紙装置奥側への用紙落下を生じさせずに記録用紙を給紙装置とともに引き出すことができる（特許文献１参照）。
【０００５】
【特許文献１】
特開平９−２７８１９２号公報
【０００６】
【発明が解決しようとする課題】
上述した従来の給紙装置はトレイが給紙方向と直角方向に引き出し可能な構造のため、下側の搬送ローラが下側のガイド板より下方に移動して上下の搬送ローラの加圧を解除させる構成としても、上昇した状態の受板がガイド板や搬送ローラ等と干渉することはない。ところが、トレイが給紙方向に引き出し可能な構造の給紙装置の場合は、下側の搬送ローラが下側のガイド板より下方に移動して上下の搬送ローラの加圧を解除させる構成とすると、上昇した状態の受板がガイド板や搬送ローラ等と干渉してしまい、トレイを引き出すことができない。
【０００７】
本発明は、上記のような課題に鑑みなされたものであり、その目的は、媒体をトレイの抜き差し側へ供給する際に供給エラーが生じてもトレイを容易に抜き出すことができる媒体供給装置及びこの媒体供給装置を備えた記録装置を提供することにある。
【０００８】
【課題を解決するための手段】
上記目的達成のため、本発明に係る媒体供給装置では、抜き差し可能なトレイに収納された媒体を前記トレイの抜き差し側へ供給する媒体供給装置であって、前記トレイに収納された前記媒体における供給方向側の端部を昇降させる昇降手段と、前記昇降手段により上昇させた前記媒体を供給する供給手段と、上昇させた前記昇降手段を強制的に降下させることが可能な上昇解除手段とを備え、前記媒体の供給エラーが発生したとき、前記上昇解除手段により前記昇降手段を降下させて、前記トレイを抜き出すことを特徴としている。これにより、上昇している昇降手段を強制的に降下させて昇降手段と供給手段との干渉を防止することができるので、媒体をトレイの抜き差し側へ供給する際に供給エラーが生じても、トレイを抜き出して供給エラーを速やかに解除することができる。
【０００９】
前記昇降手段は、上下方向に旋回自在に配設され、前記媒体の端部を載置するホッパと、上昇方向に付勢され、前記ホッパを上昇させるリフタと、回転可能に軸支され、前記媒体の非供給中に前記リフタに当接して当該リフタを下降させるリフタ駆動カムとを備えたことを特徴としている。これにより、昇降手段を簡易かつ少数の部品で構成することができるので、コストを低減させることができる。
【００１０】
前記上昇解除手段は、手動回転可能に軸支され、前記媒体の供給エラーが発生したとき、前記リフタに当接して当該リフタを下降させるリフタレリースカムを備えたことを特徴としている。これにより、媒体をトレイの抜き差し側へ供給する際に、供給エラーが生じて昇降手段等が自動で動作しなくなっても、昇降手段を手動で動作させて供給エラーを速やかに解除することができる。
【００１１】
前記リフタレリースカムは、前記リフタに当接して当該リフタを下降させた後、前記リフタ駆動カムの回転により押し回されて相互に干渉しない待機位置へ戻されることを特徴としている。これにより、上昇解除手段を自動でリセットすることができるので、上昇解除手段のリセット忘れによる障害を防止することができる。
【００１２】
上記目的達成のため、本発明に係る記録装置では、抜き差し可能なトレイに収納された媒体を前記トレイの抜き差し側へ供給して記録する記録装置であって、上記各媒体供給装置を備えたことを特徴としている。これにより、上記各作用効果を奏する記録装置を提供することができる。そして、少なくとも前記トレイの抜き差しが同一の装置側面側にて実行可能なことを特徴としている。これにより、上記各作用効果を奏する前面操作型の記録装置を提供することができる。
【００１３】
【発明の実施の形態】
以下、図面に基づいて本発明の実施の形態について詳細に説明する。
【００１４】
図１は、本発明の実施の形態に係る記録装置の１つであるインクジェット式プリンタの構成例を斜め前方から見た斜視図である。このインクジェット式プリンタ１００は、上方から見たときに凸形状をした扁平な略直方体の形状をしており、一側面（以下、前面という）側から全ての操作を行うことが可能なように構成されている。したがって、装置上面には可動部や操作部等が無く、装置上面は平坦に形成されているので、装置上面に周辺機器等を載置することが可能となっている。
【００１５】
また、上記前面側に対する背面側の両端もしくは一端の切り欠き部には、各種のケーブルコネクタを配設することが可能なように構成されている。このケーブルコネクタとしては、例えばＡＣ１００Ｖの電源コネクタ、ＵＳＢポート、パラレル（ＲＳ２３２Ｃ）ポート等があり、電源コネクタには電源ケーブルコネクタが、ＵＳＢポートにはＵＳＢケーブルコネクタが、パラレルポートにはパラレルケーブルコネクタがそれぞれ接続される。このとき、切り欠き部は、各ケーブルコネクタが背面から飛び出ないような大きさに切り欠かれているので、インクジェット式プリンタ１００を切り欠き部が無い矩形状の面積とほぼ同等のスペースに設置することができる。
【００１６】
さらに、このインクジェット式プリンタ１００の前面から切り欠き部の背面までの距離が、切り欠き部の無い直方体状のプリンタの場合の前面から背面までの距離に比べて短くなるので、１枚の基板に前面側のインターフェース部品と背面側のインターフェース部品を実装する場合に、基板の奥行き寸法を小さくすることができ、部品の実装効率を向上させることができると共に、コストダウンを図ることができる。
【００１７】
このインクジェット式プリンタ１００の後述する図４等に示す用紙搬送部１４０や記録部１５０等は、前面側が開放された筐体１０１及びこの筐体１０１の前面側にはめ込まれた前枠１０２により覆われている。筐体１０１は、例えば金属板の板金加工により、あるいはプラスチックの射出成形により形成され、前枠１０２は、例えばプラスチックの射出成形により形成されている。筐体１０１は、例えば底板と上蓋に分割可能に形成されており、底板と上蓋は、ネジ止めもしくはスナップフィット等により締結されるようになっている。前枠１０２は、筐体１０１に対してネジ止めもしくはスナップフィット等により締結されるようになっている。
【００１８】
前枠１０２の略中央部には、図示矢印ａで示す主走査方向（記録ヘッド１５３の走査方向）を回動軸として図示矢印ｂで示す方向に開閉自在な排紙される記録用紙を受けるためのスタッカ１１０が配設され、このスタッカ１１０の下部には、図示矢印ｃで示す副走査方向（記録用紙の搬送方向）に抜き差し自在な給紙する記録用紙を収納するためのトレイ１２０が配設されている。
【００１９】
スタッカ１１０は、図１に示すように、前枠１０２に対して閉じているときは格納状態であり、図２に示すように、前枠１０２に対して開いているときは記録完了後に排紙される記録用紙を受けて載置が可能なように構成されている。トレイ１２０は、図１に示すように、前枠１０２に対して後方の筐体１０１内に収納された状態にて記録用紙の供給が可能であり、図３に示すように、前枠１０２に対して前方へ引き出された状態にて記録用紙の補充や交換が可能なように構成されている。この記録用紙としては、普通紙、専用紙、推奨ＯＨＰシート、光沢紙、光沢フィルム、ラベルシート、官製葉書等が利用できる。
【００２０】
図２は、上記スタッカ１１０を開にして記録用紙が受けられるようにした状態を示す斜視図である。このスタッカ１１０は、３段構成となっており、下部両端が前枠１０２に回動可能なように取り付けられた基台１１１と、この基台１１１に対し出し入れ自在に収納された第１の受け台１１２と、この第１の受け台１１２に対し出し入れ自在に収納された第２の受け台１１３を備えている。
【００２１】
基台１１１の両側面の下部には、回動軸となる突起が形成され、基台１１１の両側面に対向する前枠１０２の面の下部には、上記突起が回動可能に填め込まれる孔が形成されている。基台１１１に形成されている突起が前枠１０２に形成されている孔内にそれぞれ差し込まれることにより、基台１１１は前枠１０２に対して略垂直状態から略水平状態までの間を回動し、排紙口を開閉するようになっている。
【００２２】
また、基台１１１の一側面に対向する前枠１０２の面の上部から内部にかけて、基台１１１の回動止めとなるロック機構が取り付けられ、基台１１１の一側面の上部には、上記ロック機構を構成するボールが填め込まれる凹部が形成されている。このロック機構は、ボールが前枠１０２の面から突き出るように取り付けられ、前枠１０２の面に対して内部で垂直方向にスライド可能なボールプランジャと、このボールプランジャを前枠１０２の面方向に垂直に付勢する圧縮コイルバネを備えている。
【００２３】
これにより、基台１１１が開状態のときは、ボールプランジャは圧縮コイルバネにより付勢されて、ボールが前枠１０２の面から突き出ている。一方、基台１１１が閉じられてきて基台１１１の一側面の縁部がボールに対し接触・押圧すると、ボールプランジャがボールとともに前枠１０２の面から内部にスライドする。そして、基台１１１が完全に閉じられると、ボールプランジャは圧縮コイルバネにより付勢されて、ボールが前枠１０２の面から突き出て凹部に填り込み、基台１１１の閉状態をロックする。
【００２４】
基台１１１は、前方に引き出された状態の第１の受け台１１２の後端部を保持し、第１の受け台１１２は、前方に引き出された状態の第２の受け台１１３の後端部を保持している。第１及び第２の受け台１１２、１１３が引き出された状態のスタッカ１１０は、例えばＡ４サイズの大きさの記録用紙より若干大きく作製されている。
【００２５】
基台１１１と第１の受け台１１２の収納口の両端部には、ガイドとなる突起が設けられ、第１の受け台１１２と第２の受け台１１３の両側面には、上記各突起が填め込まれるガイド溝が設けられている。これにより、上記各突起がガイド溝内にてスライドするので、第１の受け台１１２の基台１１１に対する出し入れ及び第２の受け台１１３の第１の受け台１１２に対する出し入れをスムーズに行うことができる。さらに、上記各突起が収納口にてガイド溝壁に係止されるので、第１の受け台１１２の基台１１１に対する引き抜けや、第２の受け台１１３の第１の受け台１１２に対する引き抜けを防止することができる。
【００２６】
図３は、上記トレイ１２０を引き出して記録用紙が収納可能なようにした状態を示す斜視図である。このトレイ１２０は、記録前の記録用紙を積層収納する本体１２１と、積層収納した記録用紙を１枚ずつ供給するために記録用紙の前部を斜め上方に持ち上げるホッパ１２２を有している。
【００２７】
本体１２１は、例えばＡ４サイズの大きさの記録用紙より若干大きく作製されており、記録用紙を内部に配設されている記録用紙の幅方向の位置決め用部材１２１ａ及び図示しない長さ方向の位置決め用部材により所定位置に位置決めして積層収納するようになっている。各位置決め用部材は、幅や長さを段階的に調整可能なスライダ及びストッパを備えており、ストッパを外してスライダをスライドさせ、スライダを本体１２１内に収納された記録用紙の側面に当接させてストッパを掛けることにより、記録用紙を位置決めするようになっている。
【００２８】
本体１２１は、前枠１０２から飛び出ずに面一となるように筐体１０１内に収納されるため引き出しが困難となるおそれがあるが、前面の下部内側にユーザが指を掛けることができる凹部が形成されており、これによりトレイ１２０の引き出しを容易に行うことができるようになっている。さらに、本体１２１の側面をガイドするガイドレールが筐体１０２内に配設されており、これによりトレイ１２０の出し入れをスムーズに行うことができるようになっている。
【００２９】
ここで、上述したようにトレイ１２０はインクジェット式プリンタ１００の前面側で抜き差しされるため、後述する用紙搬送部１４０はトレイ１２０の上方に配設されている。したがって、トレイ１２０から用紙搬送部１４０へ記録用紙を供給するには、トレイ１２０内の記録用紙を一旦持ち上げる必要があり、またトレイ１２０を抜き差しする際に記録用紙が用紙搬送部１４０と干渉しないようにするには、トレイ１２０内の記録用紙を一旦下げる必要があり、このためにホッパ１２２が配設されている。
【００３０】
ホッパ１２２は、本体１２１内の前部に配設された用紙支持部１２２ａ及びこの用紙支持部１２２ａと一体形成された脚部１２２ｂを有しており、脚部１２２ｂと本体１２１の内底面に係止されている付勢部材１２２ｃにより、脚部１２２ｂの端部を中心に旋回する用紙支持部１２２ａにより記録用紙の前部を斜め上方に持ち上げ、また持ち上げた記録用紙の前部を下げるようになっている。
【００３１】
図４は、前枠１０２、スタッカ１１０及びトレイ１２０を取り外した状態を示す斜視図、図５は、筐体１０１、前枠１０２及びスタッカ１１０を取り外した状態を示す斜視図、図６は、その平面図、図７は、その側面図である。トレイ１２０の上部には用紙搬送部１４０が配設され、この用紙搬送部１４０の上方には記録部１５０が配設されている。
【００３２】
用紙搬送部１４０は、記録用紙を筐体１０１内に収納されているトレイ１２０から前面側に引き出されているスタッカ１１０まで搬送する機能を有しており、後面側から前面側にかけて以下の部材が順に配設されている。すなわち、トレイ１２０の上部に配設されている第１紙案内１４１（図５〜７参照）、上下に対向配置されている給紙ローラ１４２（図５〜７参照）とパッド１４３ａ（図７参照）を有するパッドホルダ１４３（図７参照）が配設されている。
【００３３】
さらに、パッドホルダ１４３を支持する第２紙案内１４４（図７参照）、上下に対向配置されている従動ローラ１４５（図５〜７参照）と紙送りローラ１４６（図５〜７参照）、記録部１５０の下部に配設されている第３紙案内１４７（図５〜７参照）、上下に対向配置されている排紙ギザローラ１４８（図５〜７参照）と排紙ローラ１４９（図５、７参照）が配設されている。
【００３４】
給紙ローラ１４２は、ホッパ１２２により持ち上げられた記録用紙のうち最上層の記録用紙の前部に接触して摩擦により引き込むようになっている。パッドホルダ１４３に取り付けられているパッド１４３ａは、給紙ローラ１４２により引き込まれた記録用紙が複数枚あるとき、最上層の記録用紙のみが搬送されるように最上層の記録用紙とそれより下層の記録用紙とを分離して、下層の記録用紙をトレイ１２０内に戻すようになっている。
【００３５】
従動ローラ１４５と紙送りローラ１４６は、給紙ローラ１４２から搬送されてくる記録用紙を挟持して送り出すようになっている。排紙ギザローラ１４８と排紙ローラ１４９は、従動ローラ１４５と紙送りローラ１４６から搬送されてくる記録用紙を挟持して送り出すようになっている。そして、各紙案内１４１、１４４、１４７は、一部に凸部が形成された平坦な面を有しており、凸部により搬送中の記録用紙面を支持して記録用紙を平坦な状態に維持するようになっている。
【００３６】
記録部１５０は、主走査方向に移動可能なキャリッジ１５１（図５〜７参照）、キャリッジ１５１に対して前後方向に脱着可能に取り付けられたインクカートリッジ１５２（図５〜７参照）、キャリッジ１５１に搭載された記録ヘッド１５３（図７参照）、キャリッジ１５１の移動を案内するガイド軸１５４（図５〜７参照）、記録ヘッド１５３と制御部１６０の専用コントローラボード等を電気的に接続するフレキシブル配線板１５５（図５、６参照）等を備えている。
【００３７】
キャリッジ１５１は、インクジェット式プリンタ１００が非記録状態であるオフ状態もしくはスタンバイ状態のときは図４〜６に示す待機位置（ホームポジション）に位置しており、記録状態のときはホームポジションを離脱して搬送されてくる記録用紙の両端部間を往復移動するようになっている。インクカートリッジ１５２は、例えばイエロー、マゼンタ、シアン、ブラックの計４色のタンクを備えており、フルカラー記録が可能なように構成されている。
【００３８】
記録ヘッド１５３は、インクカートリッジ１５２の上記各色毎のタンクに繋がる複数の圧力発生室とそれらに繋がるノズルを備えており、例えば圧電素子や発熱素子等により圧力発生室内の圧力を変動させて、圧力発生室内に貯留されているインクをノズルから吐出させるようになっている。なお、記録ヘッド１５３は、ホームポジションに位置しているときは、インク乾燥等によるノズルの目詰まり等を防止するために、キャッピング装置により封止されている。
【００３９】
ガイド軸１５４は、例えば軸受を介して取り付けられているキャリッジ１５１が摺動可能なように配設されている。フレキシブル配線板１５５は、キャリッジ１５１の往復移動の際に、キャリッジ１５１等と干渉せず、かつ折り曲げられないように、主走査方向に湾曲させて配設されている。
【００４０】
そして、図５、６に示すように、用紙搬送部１４０を駆動する搬送駆動部１７０として駆動モータ１７１及びギア機構１７２が、用紙搬送部１４０の一側面側に配設され、記録部１５０の記録駆動部１８０として駆動モータ１８１及びベルト機構１８２が、記録部１５０の後方側に配設されている。
【００４１】
駆動モータ１７１としては、例えばステッピングモータが使用されるが、ＤＣモータを使用してもよい。ギア機構１７２としては、通常のギア輪列が使用されるが、ベルト機構を併用してもよい。なお、このギア機構１７２の途中には、記録用紙の搬送位置を検出するためのエンコーダが配設されている。
【００４２】
また、駆動モータ１８１としては、例えばＤＣモータが使用されるが、ステッピングモータを使用してもよい。ベルト機構１８２としては、歯付きベルトと歯付きプーリが高精度であるため望ましいが、平ベルトとプーリでもよい。なお、このベルト機構１８２のベルトと平行して、キャリッジ１５１の移動位置を検出するためのリニアエンコーダが配設されている。
【００４３】
図８は、上記トレイ１２０内に収納された記録用紙の給紙方向側の端部を昇降させる昇降装置とその周辺部を示す斜視図である。この昇降装置１９０は、上記ホッパ１２２と、上昇方向に付勢され、ホッパ１２２を上昇させるリフタ１９１と、回転可能に軸支され、記録用紙の非給紙中にリフタ１９１に当接してリフタ１９１を下降させるリフタ駆動カム１９２を備えている。リフタ１９１及びリフタ駆動カム１９２は、筐体１０１内におけるトレイ１２０の本体１２１の一側面外部に位置するように配設されている。
【００４４】
リフタ１９１は、リフタ駆動カム１９２と当接する一端部１９１ａがホッパ１２２の旋回方向と同一方向に旋回可能なように、他端部１９１ｂが旋回中心として軸支されている。そして、他端部１９１ｂ近傍には、ホッパ１２２を持ち上げるレバー１９１ｃがホッパ１２２の裏面側へ延びるように形成され、一端部１９１ａと他端部１９１ｂの間には、旋回上昇方向へ引っ張る引張バネ１９１ｄが係止されている。
【００４５】
リフタ駆動カム１９２は、円板状のカム本体１９２ａの一側面側の一部外縁に、リフタ１９１の一端部１９１ａと当接する当接部１９２ｂが一体的に突設され、カム本体１９２ａの他側面側に、給紙ローラ１４２の一端側に嵌め込まれている給紙ローラ駆動ギア１４２ａと噛み合うギア部１９２ｃが一体的に形成されている。
【００４６】
このような構成において、給紙ローラ駆動ギア１４２ａが回転開始すると同時にギア部１９２ｃがカム本体１９２ａとともに回転し、リフタ１９１の一端部１９１ａと当接している当接部１９２ｂが円運動する。ここで、リフタ１９１の一端部１９１ａは山形状に形成されており、当接部１９２ｂは円弧状に形成されているので、当接部１９２ｂの円運動に伴ってリフタ１９１の一端部１９１ａは上下動する。
【００４７】
すなわち、当接部１９２ｂが最下部に位置しているときは、リフタ１９１の一端部１９１ａは当接部１９２ｂにより最下部に押さえ付けられ、当接部１９２ｂが上方に向かうにしたがって、リフタ１９１の一端部１９１ａは当接部１９２ｂに当接しながら引張バネ１９１ｄにより引っ張られて上昇する。
【００４８】
そして、当接部１９２ｂが最上部に位置しているときは、リフタ１９１の一端部１９１ａも当接部１９２ｂに当接した状態で最上部に引張バネ１９１ｄにより引っ張り上げられ、当接部１９２ｂが下方に向かうにしたがって、リフタ１９１の一端部１９１ａは当接部１９２ｂに押されて下降する。
【００４９】
そして、リフタ１９１の一端部１９１ａの上下動に伴ってレバー１９１ｃが立ち上がり、ホッパ１２２の用紙支持部１２２ａを脚部１２２ｂの端部を旋回中心として旋回させ、トレイ１２０の本体１２１内に収納されている記録用紙の前部を斜め上方に持ち上げる。このように、昇降装置１９０の昇降は、給紙ローラ１４２の回転と同期させることができる。
【００５０】
図９は、上記昇降装置１９０の上昇を強制的に降下させることが可能な上昇解除装置とその周辺部を示す斜視図である。この上昇解除装置２００は、手動回転可能に軸支され、記録用紙の給紙エラーが発生したとき、リフタ１９１の一端部１９１ａに当接してリフタ１９１の一端部１９１ａを下降させるリフタレリースカム２０１を備えている。さらに、このリフタレリースカム２０１をリフタ１９１の一端部１９１ａに対し近接・離間させるカム軸２０２と、このカム軸２０２に挿入され、リフタレリースカム２０１をリフタ１９１の一端部１９１ａに対し離間する方向に付勢する圧縮バネ２０３を備えている。
【００５１】
リフタレリースカム２０１は、円板状のカム本体２０１ａの一側面側の一部外縁に、リフタ１９１の一端部１９１ａと当接する円弧状に形成された当接部２０１ｂが一体的に突設され、カム本体２０１ａの他側面側に、搬送駆動部１７０に連結されている図示しないギア機構と噛み合うギア部２０１ｃが一体的に形成されている。
【００５２】
カム軸２０２は、リフタレリースカム２０１を回転自在に軸支する軸部２０２ａを有し、一端側には貫装されたリフタレリースカム２０１を沿わせて軸方向に移動させる傾斜面を有する傾斜カム２０２ｂが形成されている。圧縮バネ２０３は、カム軸２０２の傾斜カム２０２ｂにリフタレリースカム２０１を常時当接させるために、リフタレリースカム２０１が貫装されたカム軸２０２の軸部２０２ａの他端部側から挿入固定されている。
【００５３】
このような構成において、ギア部２０１ｃがカム本体２０１ａとともに回転し、当接部２０１ｂが傾斜カム２０２ｂの傾斜面に倣って螺旋運動し、リフタ１９１の一端部１９１ａに対し近接・離間する。すなわち、ユーザの手動による搬送駆動部１７０のギア機構の回転により、当接部２０１ｂは螺旋運動してリフタ１９１の一端部１９１ａに近接し、上昇しているリフタ１９１の一端部１９１ａに当接してリフタ１９１の一端部１９１ａを強制的に押し下げる。
【００５４】
また、給紙ローラ駆動ギア１４２ａの回転により、リフタ駆動カム１９２の当接部１９２ｂが下方に行くと、リフタ駆動カム１９２の当接部１９２ｂの先端に形成されている突起部１９２ｄが、リフタレリースカム２０１の当接部２０１ｂの先端に形成されている突起部２０１ｄに当接する。そして、リフタ駆動カム１９２の当接部１９２ｂが上方に向かうに伴って、リフタレリースカム２０１の当接部２０１ｂは螺旋運動してリフタ１９１の一端部１９１ａから離間し、降下しているリフタ１９１の一端部１９１ａは上昇する。
【００５５】
以上のような構成のインクジェット式プリンタ１００において、その動作の概略を説明する。なお、インクジェット式プリンタ１００とテレビジョン・システムやコンピュータ等との接続配線や電源プラグの接続は既に完了しているものとする。先ず、ユーザは、図１に示す状態で指をトレイ１２０の底面に設けられている凹部に掛けて引っ張ることにより、図２に示すようにトレイ１２０を前方へ引き出す。
【００５６】
続いて、トレイ１２０の本体１１１内の所定位置に複数枚の記録用紙を積層した状態で収納した後、トレイ１２０を後方へ押し込んでセットする。このとき、記録用紙の前部はホッパ１１２により斜め上方に持ち上げられ、最上部の記録用紙の前部先端が給紙ローラ１４２に接触する。次に、ユーザは、指をスタッカ１１０の上部に掛けて引っ張ることにより、図３に示すようにスタッカ１１０を前方へ引き出す。そして、インクジェット式プリンタ１００をスタンバイ状態にし、テレビジョン・システムやコンピュータ等から記録指令を入力する。
【００５７】
すると、図７に示すように、トレイ１２０内の最上部の１枚の記録用紙Ｐは、第１紙案内１４１と第２紙案内１４４に案内されつつ、給紙ローラ１４２の回転により副走査方向である前方へ引き出されて給紙ローラ１４２とパッド１４３ａとの間に挟持されて更に前方へ送り出される。このとき、記録用紙Ｐがトレイ１２０内の最上部の１枚のみでなく複数枚あるときは、最上部の記録用紙Ｐとそれより下部の記録用紙Ｐとがパッド１４３ａにより分離され、最上部の記録用紙Ｐのみが給紙ローラ１４２とパッド１４３ａとの間に挟持されて更に前方へ送り出され、下部の記録用紙Ｐはトレイ１２０内に戻される。
【００５８】
そして、最上部の記録用紙Ｐは、従動ローラ１４５と紙送りローラ１４６との間に挟持されて更に前方へ送り出される。その記録用紙Ｐが第３紙案内１４７に達すると、キャリッジ１５１の主走査方向への移動が開始される。すなわち、待機位置（ホームポジション）に位置してしたキャリッジ１５１は、ホームポジションを離脱して搬送されてくる記録用紙Ｐの両端部間を往復移動する。そして、記録ヘッド１５３は、副走査方向に搬送されつつある記録用紙Ｐに対し例えば圧電素子により圧力発生室内の圧力を変動させて、圧力発生室内に貯留されているインクをノズルから吐出して、記録用紙Ｐ上に所定の記録情報を記録する。
【００５９】
このときの記録ヘッド１５３の走査タイミングやインク吐出タイミングは、制御部１６０の専用コントローラボード等により制御され、高精度なインクドット制御、ハーフトーン処理等が実行されるようになっている。そして、その記録用紙Ｐは、排紙ギザローラ１４８と排紙ローラ１４９との間に挟持されて更に前方へ送り出され、最終的に記録が完了した記録用紙Ｐはスタッカ１１０上に排紙される。
【００６０】
ここで、記録用紙Ｐの給紙中に紙ジャム等の給紙エラーが発生して給紙停止した場合、図９に示すように、リフタ１９１の一端部１９１ａは上昇してホッパ１２２の用紙支持部１２２ａも上昇しているため、この状態のままではトレイ１２０を引き抜くことはできず、給紙エラーを解除することができない。
【００６１】
そこで、ユーザは、手動により搬送駆動部１７０のギア機構を回転させる。すると、リフタレリースカム２０１の当接部２０１ｂは、下方に向かって回転しながらリフタ１９１に向かって軸移動し、図１０に示すように、上昇しているリフタ１９１の一端部１９１ａに当接してリフタ１９１の一端部１９１ａを強制的に押し下げる。これにより、ホッパ１２２の用紙支持部１２２ａも下降するので、トレイ１２０の引き抜きが可能となり、給紙エラーを解除することができる。
【００６２】
この給紙エラー解除後、インクジェット式プリンタ１００がリセットされると、図１１に示すように、給紙ローラ駆動ギア１４２ａが回転して、リフタ駆動カム１９２の当接部１９２ｂが下方に向かう。そして、図１２及び図１３に示すように、リフタ駆動カム１９２の当接部１９２ｂの先端に形成されている突起部１９２ｄが、リフタレリースカム２０１の当接部２０１ｂの先端に形成されている突起部２０１ｄに当接する。
【００６３】
そして、リフタ駆動カム１９２の当接部１９２ｂが上方に向かうに伴って、リフタレリースカム２０１の当接部２０１ｂは、上方に向かって回転しながらリフタ１９１から離れるように軸移動して初期の位置に戻される。このときの位置は、リフタレリースカム２０１の突起部２０１ｄがリフタ駆動カム１９２の突起部１９２ｄと干渉しない位置である。これにより、降下していたリフタ１９１の一端部１９１ａは上昇し、ホッパ１２２の用紙支持部１２２ａも上昇するので、通常の給紙動作を継続することができる。
【００６４】
このように、上昇している昇降装置１９０を強制的に降下させて昇降装置１９０と給紙ローラ１４２との干渉を防止することができるので、記録用紙Ｐをトレイ１２０の抜き差し側へ給紙する際に給紙エラーが生じても、トレイ１２０を抜き出して紙ジャム等の給紙エラーを速やかに解除することができる。また、上昇解除装置２００を自動でリセットすることができるので、上昇解除装置２００のリセット忘れによるプリンタ故障等の障害を防止することができる。
【００６５】
以上のように、このインクジェット式プリンタ１００によれば、記録前の記録用紙Ｐのセッティングから記録後の記録用紙Ｐの取り出し、さらにはインクカートリッジ１５２の交換等にいたるまで前面側で全て処理することができるので、操作が迅速かつ容易となり、記録効率を向上させることができると共に、プリンタ上部への周辺機器の設置が可能となり、作業空間を有効利用することができる。
【００６６】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてプリンタを例に説明したが、これに限られるものではなく、例えばファクシミリ装置やコピー装置等の記録装置にも適用可能である。
【図面の簡単な説明】
【図１】本発明の実施の形態に係る記録装置の１つであるインクジェット式プリンタの構成例を斜め前方から見た斜視図である。
【図２】図１のインクジェット式プリンタのスタッカを開にして記録用紙が受けられるようにした状態を示す斜視図である。
【図３】図１のインクジェット式プリンタのトレイを引き出して記録用紙が収納可能なようにした状態を示す斜視図である。
【図４】図１のインクジェット式プリンタの前枠、スタッカ及びトレイを取り外した状態を示す斜視図である。
【図５】図１のインクジェット式プリンタの筐体、前枠及びスタッカを取り外した状態を示す斜視図である。
【図６】図５のインクジェット式プリンタの平面図である。
【図７】図５のインクジェット式プリンタの側面図である。
【図８】トレイ内に収納された記録用紙の給紙方向側の端部を昇降させる昇降装置とその周辺部を示す斜視図である。
【図９】図８の昇降装置の上昇を強制的に降下させることが可能な上昇解除装置とその周辺部を示す斜視図である。
【図１０】図９の上昇解除装置の動作を示す第１の図である。
【図１１】図９の上昇解除装置の動作を示す第２の図である。
【図１２】図９の上昇解除装置の動作を示す第３の図である。
【図１３】図９の上昇解除装置の動作を示す第４の図である。
【符号の説明】
１００  インクジェット式プリンタ、１０１  筐体、１０２  前枠、１１０  スタッカ、１１１  基台、１１２  第１の受け台、１１３  第２の受け台、１２０  トレイ、１２１  本体、１２２  ホッパ、１４０  用紙搬送部、１４１  第１紙案内、１４２  給紙ローラ、１４３  パッドホルダ、１４４  第２紙案内、１４５  従動ローラ、１４６  紙送りローラ、１４７  第３紙案内、１４８  排紙ギザローラ、１４９  排紙ローラ、１５０  記録部、１５１  キャリッジ、１５２  インクカートリッジ、１５３  記録ヘッド、１５４  ガイド軸、１５５  フレキシブル配線板、１６０  制御部、１７０  搬送駆動部、１７１  駆動モータ、１７２  ギア機構、１８０  記録駆動部、１８１  駆動モータ、１８２  ベルト機構、１９０  昇降装置、１９１  リフタ、１９２  リフタ駆動カム、２００  上昇解除装置、２０１  リフタレリースカム２０１、２０２  カム軸、２０３  圧縮バネ
【図１】
2004217350.tif 000003
【図２】
2004217350.tif 000004
【図３】
2004217350.tif 000005
【図４】
2004217350.tif 000006
【図５】
2004217350.tif 000007
【図６】
2004217350.tif 000008
【図７】
2004217350.tif 000009
【図８】
2004217350.tif 000010
【図９】
2004217350.tif 000011
【図１０】
2004217350.tif 000012
【図１１】
2004217350.tif 000013
【図１２】
2004217350.tif 000014
【図１３】
2004217350.tif 000015